【事件の表示】
　平成　９年特許願第３０５５７４号「液晶表示装置」拒絶査定不服審判事件〔平成１１年　５月２８日出願公開、特開平１１−１４２８４４〕について、次のとおり審決する。
【結　論】
　本件審判の請求は、成り立たない。
【理　由】
１．手続の経緯
出願　　　　　　　　　　　　平成　９年１１月　７日 
拒絶理由の通知（起案日）　　平成１４年　２月２０日 
手続補正１（提出日）　　　　平成１４年　４月１１日 
意見書（提出日）　　　　　　平成１４年　４月１１日 
拒絶理由の通知（起案日）　　平成１５年　２月２５日 
手続補正２（提出日）　　　　平成１５年　４月２４日 
意見書（提出日）　　　　　　平成１５年　４月２４日 
補正の却下の決定（起案日）　平成１５年　５月１５日 
拒絶査定（起案日）　　　　　平成１５年　５月１５日 
審判請求（提出日）　　　　　平成１５年　６月１８日 
手続補正３（提出日）　　　　平成１５年　６月１８日 
手続補正４（提出日）　　　　平成１５年　７月３０日  
　
２．平成１５年６月１８日付及び同年７月３０日付の手続補正（以下、「本件補正」という。）についての補正却下の決定
　
［補正却下の決定の結論］
　
平成１５年６月１８日付及び同年７月３０日付の手続補正を却下する。
　
［理由］
　
（１）補正の内容
　本件補正は、平成１５年４月２４日付け手続補正が却下されているので、以下の（ア）〜（ウ）の内容である。
（ア）平成１４年４月１１日付けでした手続補正により補正された特許請求の範囲の
「【請求項１】　光源、該光源からの入射光側を平面形状とし、且つ該光源の出射光側を凸面形状とした複数個のマイクロレンズと該入射光側の平面形状部における該マイクロレンズの凹部に対応した位置に設けた遮光層と該平面形状部及び該遮光層を支持する透明基板と該凸形状部を支持するガラスプレートと該透明基板及び該ガラスプレートの間の間隙に配置した透明性材料であって、該マイクロレンズの屈折率と異なった屈折率の透明性材料を有するマイクロレンズアレイ、複数個の画素電極をもつ回路基板、並びに、前記マイクロレンズアレイと前記回路基板との間の間隔に配置した液晶を有し、前記光源の光線が前記マイクロレンズアレイ、前記液晶及び前記回路基板の順で入射することを特徴とする液晶表示装置。」を、
　
「【請求項１】　光源、光源からの入射光側上面を平面形状とし、且つ該光源の出射光側下面を凸面状とした複数個のマイクロレンズと該入射光側の平面形状部における該複数のマイクロレンズの各々の境界の凹部に該複数のマイクロレンズから出射する光を遮る遮光層と該平面状部及び該遮光層を支持する透明基板と該凸形状部を支持するガラスプレートと該透明基板及び該ガラスプレートの間の間隙に配置した透明性材料であって、該マイクロレンズの屈折率と異なった屈折率の透明性材料を有するマイクロレンズアレイ、複数個の画素電極をもつ回路基板、並びに、前記マイクロレンズアレイと前記回路基板との間の間隔に配置した液晶を有し、前記光源の光線が前記マイクロレンズアレイ、前記液晶及び前記回路基板の順で入射することを特徴とする液晶表示装置。」に補正する。
　
（イ）出願当初の明細書段落【００２２】の末尾に、
「なお、図１から明らかなように、実施形態１による液晶表示装置は、光源１１３、光源１１３からの入射光側上面を平面形状１０６−１とし、且つ該光源１１３の出射光側下面を凸面状１０６−２とした複数個のマイクロレンズ１０６と該入射光側の平面形状部１０６−１における該複数のマイクロレンズの各々の境界の凹部１０６−３に該複数のマイクロレンズ１０６から出射する光を遮る遮光層１０５と該平面状部１０６−１及び該遮光層１０５を支持する透明基板１０４と該凸形状部１０６−２を支持するガラスプレート１０８と該透明基板１０４及び該ガラスプレート１０８の間の間隙に配置した透明性材料１０７であって、該マイクロレンズ１０６の屈折率と異なった屈折率の透明性材料を有するマイクロレンズアレイ、複数個の画素電極１０２をもつ回路基板１２０、並びに、前記マイクロレンズアレイと前記回路基板１２０との間の間隔に配置した液晶１１２を有し、前記光源の光線１１３が前記マイクロレンズアレイ、前記液晶１１２及び前記回路基板１２０の順で入射する。」を追加する。
　
（ウ）出願当初の添付図面のうち図１を次のように補正する。
（符号１０６−１，１０６−２，１０６−３をそれぞれ挿入したものである。）　　　　　　　　　　　　　　          　       
（２）当審の判断
　上記（１）の補正が、願書に最初に添付した明細書または図面（以下、「当初明細書等」という。）に記載された発明かどうか検討する。
　本願の当初明細書等には、遮光層を含むマイクロレンズアレイの構造に関して、以下の記載がある。（下線は便宜的に当審が付与した。）
「【請求項１１】　
前記マイクロレンズは凹凸をもち
前記凹凸を覆って光反射性もしくは遮光性の材料を塗布し、研磨もしくはエッチングにより前記光反射性もしくは遮光性材料を前記凹凸の凹部には残して取り去ることにより前記遮光層を形成する
「【００１２】
　更に、本発明による液晶表示装置は、画像信号に応じて帯電し半導体基板上に平面配列された複数の画素電極と、前記複数の画素電極の上面の液晶と、該液晶の上面の透明導電膜と、上方から入射する偏光した光を前記複数の画素電極の各々に結像させ透明基板上に配列され前記透明導電膜の上面にある複数のマイクロレンズとを具備する液晶表示装置において、
前記複数のマイクロレンズの上面は平面状で前記複数のマイクロレンズの下面は凸状で、前記複数のマイクロレンズの各々の境界の凹部に前記複数のマイクロレンズから出射する光を遮る遮光層
【００１３】
　更に、本発明による液晶表示装置は、画像信号に応じて帯電し半導体基板上に平面配列された複数の画素電極と、前記複数の画素電極の上面の液晶と、該液晶の上面の透明導電膜と、上方から入射する偏光した光を前記複数の画素電極の各々に結像させ透明基板上に配列され前記透明導電膜の上面にある複数のマイクロレンズとを具備する液晶表示装置において、
前記複数のマイクロレンズの上面は凸状で前記複数のマイクロレンズの下面は平面状で、前記複数のマイクロレンズの各々の境界の凹部に前記複数のマイクロレンズに入射する光を遮る遮光層
「【００１８】
　また、
本発明による液晶表示装置の前記マイクロレンズと前記遮光層とを形成する方法は、
前記マイクロレンズに遮光性材料を塗布する工程と、前記遮光性材料をエッチング又は研磨により前記マイクロレンズの凹部を除いて除去する工程
「【００２０】
【発明の実施の形態】
　［第１の実施形態］
　
図１を用いて本発明による第１の実施形態
１０４は透明基板であり、透明基板には遮光層１０５、マイクロレンズ１０６が形成され、
本実施形態では、遮光層１０５はマイクロレンズ１０６に対して光源１１３側に配置されているため、マイクロレンズ１０６の周辺の収差が発生する部位には光が入射されない。
「【００２３】
　［第３の実施形態］
　
本発明による第３の実施形態を図３、図４
Ｂの光線３０３はマイクロレンズ３０５を通って画素電極３０６で反射され、マイクロレンズ３０７を通って出射される。一方、Ｇの光３０４はマイクロレンズ３０８を通り画素電極３０９で反射した後、再びマイクロレンズ３０８を通って出射される。
【００２４】
　［第４の実施形態］
　
本発明による第４の実施形態を図５及び図６
透明基板４０１上に樹脂４０２を塗布し、露光、現像により樹脂４０２を所望の形状にパターニングし、図５（ｂ）の形状を実現する。さらに、例えば加熱などにより溶解し、表面張力によりレンズ形状をなし、図５（ｃ）を得る。この上に、遮光性材料４０３を塗布する。４０３は反射材料であっても構わない（図５（ｄ））。ここで、表面をエッチングするかもしくは研磨することにより、マイクロレンズの凹部に遮光性材料を残し、その他の部分を除去することができる。
図６（ｈ）におけるマイクロレンズアレイ付きの透明基板を実施形態１もしくは２に適用した場合には、光が反射電極において反射された後に、先に遮光層の開口を透過してからマイクロレンズ入射するため、マイクロレンズの周辺の収差の悪影響を抑制することができる。
「【００２６】
　［第６の実施形態］
　図５（ｅ）の状態で、下側の面に透明電極を設けることで、実施形態１もしくは２に適用することができる。実施形態２に適用した場合を図８を用いて説明する。６０１は半導体基板、６０２は駆動回路を形成する領域、６０３は液晶層、６０４は液晶層の幅を規定する絶縁体層、６０５は透明導伝膜、６０６は透明基板、６０７はマイクロレンズ、６０８は遮光層であり、６０９は画素電極である。光源からの光６１０はマイクロレンズの周辺部の収差のある領域には遮光層６０８によって遮られるため遮断される。これにより、コントラストが高く、混色のない液晶表示装置を得ることが可能である。」
　
　以上の記載及び関連する図面によれば、当初明細書等から、遮光層を含むマイクロレンズアレイの構造に関し以下の（ａ）〜（ｅ）の事項が把握できる。
（ａ）複数のマイクロレンズの上面は平面状で、下面は凸状の場合、マイクロレンズから
出射
　
（ｂ）図１の符号１０５で示される遮光層は、透明基板１０４にマイクロレンズ１０６とともに形成されている（【００２０】、図１）が、具体的な形成方法は記載されていない。
　
（ｃ）図１の符号１０５で示される遮光層は、光源１１３からの光がマイクロレンズに入射するのを遮る遮光層である。（【００２０】、図１）
　
（ｄ）図６（ｈ）に示されたマイクロレンズアレイ付きの透明基板は実施形態１（図１）もしくは２に適用できる。（【００２４】、図６（ｈ））
　
（ｅ）「マイクロレンズは凹凸をもち・・・遮光性材料を前記凹凸の凹部には残して取り去ることにより前記遮光層を形成する」との記載によれば、遮光性材料が形成されるマイクロレンズの凹部とは、複数のマイクロレンズが隣り合う凸部の間に形成されるＶ字状の谷間を指すことは明らかである。
（【請求項１１】、【００１８】、【００２４】、図５（ｅ））
　
　すなわち、図１の符号１０５で示される遮光層は、単に、透明基板１０４に遮光層１０５が形成され、その上にマイクロレンズ１０６が形成されているものであって、複数のマイクロレンズの各々の境界の凹部や、遮光層を具体的にどのように形成するかなどについてはなんら記載されておらず、複数のマイクロレンズの各々の境界の凹部に形成されたものとはいえない。また、上記（ｃ）によれば、図１の符号１０５で示される遮光層が、光源１１３からの光が、マイクロレンズに入射するのを遮る遮光膜ではあるが、マイクロレンズから出射するのを遮る遮光層ではないことは明らかであるから、
　マイクロレンズから出射する光を遮る遮光層（遮光性材料）が設けられる場所である「複数のマイクロレンズの各々の境界の凹部」とは、複数のマイクロレンズが隣り合う凸部の間に形成されるＶ字状の谷間を指すものと解するのが相当であり、補正された図１において、符号１０６−３で示された楕円形で囲まれた広範な範囲を含むものではない。
　してみると、上記補正（ア）の請求項１に係る「該入射光側の平面形状部における該複数のマイクロレンズの各々の境界の凹部に該複数のマイクロレンズから出射する光を遮る遮光層」、同じく段落【００２０】に係る補正（イ）「該入射光側の平面形状部１０６−１における該複数のマイクロレンズの各々の境界の凹部１０６−３に該複数のマイクロレンズ１０６から出射する光を遮る遮光層１０５」、及び図１に係る図面の補正（ウ）は、願書に最初に添付した明細書または図面に記載されていない。そして、当初明細書等全体の記載及び出願時の技術常識を考慮しても、マイクロレンズの各々の境界の凹部が、上記のような遮光層の形成場所を含むものとはいえない。
　
　したがって、本件補正は、特許法第１５９条第１項の規定により準用する同法第５３条第１項の規定により却下されるべきものである。
　
３．原審の拒絶理由の概要
　原審における、拒絶査定の理由の概要は、以下のとおりである。
「平成１４年　４月１１日付けでした手続補正は、下記の点で願書に最初に添付した明細書又は図面に記載した事項の範囲内においてしたものでないから、特許法第１７条の２第３項に規定する要件を満たしていない。
　　　　　　　　　　　　　　　　　記
　上記補正後の請求項１に記載の「該入射光側の平面形状部における該マイクロレンズの凹部に対応した位置に設けた遮光層」に関しては、本願の願書に最初に添付した明細書又は図面に記載されていない。また、上記補正後の請求項１に記載の「該入射光側の平面形状部における該マイクロレンズの凹部に対応した位置に設けた遮光層」が本願の願書に最初に添付した明細書又は図面に記載の事項から直接的かつ一義的に導出できるものとも認められない。」
　
４．原審の拒絶理由に対する当審の判断
　平成１４年４月１１日付け手続補正は、願書に最初に添付された明細書の特許請求の範囲である、
「【請求項１】　光源、透明基板上に形成された遮光層と複数個配列されたマイクロレンズにより構成されるマイクロレンズアレイ、複数個配列された画素電極をもつ回路基板、前記透明基板と前記回路基板に挟持された液晶によりなる液晶表示装置において、前記光源からの光は、前記遮光層の開口部を透過した後に、前記マイクロレンズを透過することを特徴とする液晶表示装置。
【請求項２】　前記光源は複数の方向から入射され、かつ、前記マイクロレンズの配置されるピッチが前記画素電極の配列されるピッチの整数倍であることを特徴とする請求項１に記載の液晶表示装置。
【請求項３】　前記マイクロレンズと同じ材料で、前記透明基板と前記回路基板の貼り合わせ用のアライメントマークを形成したことを特徴とする請求項１に記載の液晶表示装置。
【請求項４】　前記遮光層と同じ材料で、前記透明基板と前記回路基板の貼り合わせ用のアライメントマークを形成したことを特徴とする請求項１に記載の液晶表示装置。
【請求項５】　画像信号に応じて帯電し半導体基板上に平面配列された複数の画素電極と、前記複数の画素電極の上面の液晶と、該液晶の上面の透明導電膜と、上方から入射する偏光した光を前記複数の画素電極の各々に結像させ透明基板上に配列され前記透明導電膜の上面にある複数のマイクロレンズとを具備する液晶表示装置において、
　前記複数のマイクロレンズの上方に前記複数のマイクロレンズの各々の周縁部に入射する前記光を遮る遮光層を具備することを特徴とする液晶表示装置。
【請求項６】　画像信号に応じて帯電し半導体基板上に平面配列された複数の画素電極と、前記複数の画素電極の上面の液晶と、該液晶の上面の透明導電膜と、上方から入射する偏光した光を前記複数の画素電極の各々に結像させ透明基板上に配列され前記透明導電膜の上面にある複数のマイクロレンズとを具備する液晶表示装置において、
　前記複数のマイクロレンズの上面は平面状で前記複数のマイクロレンズの下面は凸状で、前記複数のマイクロレンズの各々の境界の凹部に前記複数のマイクロレンズから出射する光を遮る遮光層を具備することを特徴とする液晶表示装置。
【請求項７】　画像信号に応じて帯電し半導体基板上に平面配列された複数の画素電極と、前記複数の画素電極の上面の液晶と、該液晶の上面の透明導電膜と、上方から入射する偏光した光を前記複数の画素電極の各々に結像させ透明基板上に配列され前記透明導電膜の上面にある複数のマイクロレンズとを具備する液晶表示装置において、
　前記複数のマイクロレンズの上面は凸状で前記複数のマイクロレンズの下面は平面状で、前記複数のマイクロレンズの各々の境界の凹部に前記複数のマイクロレンズに入射する光を遮る遮光層を具備することを特徴とする液晶表示装置。
【請求項８】　請求項５乃至７のいずれか１項に記載の液晶表示装置において、前記複数の画素電極と同一プロセスで前記半導体基板状に形成された電極状のアライメントマークと、前記複数のマイクロレンズと同一プロセスで前記透明基板上に形成されたマイクロレンズ状のアライメントマークとを更に具備し、前記電極状のアライメントマークと前記マイクロレンズ状のアライメントマークとが重なっていることを特徴とする液晶表示装置。
【請求項９】　請求項５乃至８のいずれか１項に記載の液晶表示装置において、前記マイクロレンズのピッチが前記画素電極のピッチの整数倍であることを特徴とする液晶表示装置。
【請求項１０】　請求項２又は９に記載の液晶表示装置において前記整数は２であることを特徴とする液晶表示装置。
【請求項１１】　前記マイクロレンズは凹凸をもち、前記凹凸を覆って光反射性もしくは遮光性の材料を塗布し、研磨もしくはエッチングにより前記光反射性もしくは遮光性材料を前記凹凸の凹部には残して取り去ることにより前記遮光層を形成することを特徴とする請求項１に記載の液晶表示装置の製造方法。
【請求項１２】　前記透明基板状に樹脂を塗布する工程と、前記樹脂の形成すべき前記マイクロレンズの境界部を露光又は現像により除去する工程と、前記樹脂を溶解して表面張力により前記マイクロレンズを形成する工程と、前記マイクロレンズに遮光性材料を塗布する工程と、前記遮光性材料をエッチング又は研磨により前記マイクロレンズの凹部を除いて除去する工程と、を有することを特徴とする請求項６又は７に記載の液晶表示装置の前記マイクロレンズと前記遮光層とを形成する方法。
【請求項１３】　請求項１乃至１０のいずれか１項に記載の液晶表示装置を備えることを特徴とする液晶プロジェクタ。」
を次のように補正するものである。
　
「【請求項１】　光源、該光源からの入射光側を平面形状とし、且つ該光源の出射光側を凸面形状とした複数個のマイクロレンズと該入射光側の平面形状部における該マイクロレンズの凹部に対応した位置に設けた遮光層と該平面形状部及び該遮光層を支持する透明基板と該凸形状部を支持するガラスプレートと該透明基板及び該ガラスプレートの間の間隙に配置した透明性材料であって、該マイクロレンズの屈折率と異なった屈折率の透明性材料を有するマイクロレンズアレイ、複数個の画素電極をもつ回路基板、並びに、前記マイクロレンズアレイと前記回路基板との間の間隔に配置した液晶を有し、前記光源の光線が前記マイクロレンズアレイ、前記液晶及び前記回路基板の順で入射することを特徴とする液晶表示装置。
【請求項２】　前記マイクロレンズのピッチは、前記画素電極のピッチの整数倍であることを特徴とする請求項１に記載の液晶表示装置。
【請求項３】　前記マイクロレンズアレイは、前記マイクロレンズと同じ材料で形成したアライメントマークを有し、前記回路基板は、前記マイクロレンズアレイとの貼り合わせ用のアライメントマークを有していることを特徴とする請求項１に記載の液晶表示装置。
【請求項４】　前記マイクロレンズアレイと前記回路基板とは、前記遮光層と同じ材料で形成したアライメントマークを有することを特徴とする請求項１に記載の液晶表示装置。
【請求項５】　前記回路基板は、透明基板及び薄膜トランジスタを有することを特徴とする請求項１に記載の液晶表示装置。
【請求項６】　前記回路基板は、半導体基板であることを特徴とする請求項１に記載の液晶表示装置。
【請求項７】　前記遮光層が配置される位置は、マイクロレンズの収差を発生する位置に対応していることを特徴とする請求項１に記載の液晶表示装置。
【請求項８】　画像信号に応じて帯電し半導体基板上に平面配列された複数の画素電極と、前記複数の画素電極の上面の液晶と、該液晶の上面の透明導電膜と、上方から入射する偏光した光を前記複数の画素電極の各々に結像させ透明基板上に配列され前記透明導電膜の上面にある複数のマイクロレンズとを具備する液晶表示装置において、
　前記複数のマイクロレンズの上面は平面状で前記複数のマイクロレンズの下面は凸状で、前記複数のマイクロレンズの各々の境界の凹部に前記複数のマイクロレンズから出射する光を遮る遮光層を具備することを特徴とする液晶表示装置。
【請求項９】　画像信号に応じて帯電し半導体基板上に平面配列された複数の画素電極と、前記複数の画素電極の上面の液晶と、該液晶の上面の透明導電膜と、上方から入射する偏光した光を前記複数の画素電極の各々に結像させ透明基板上に配列され前記透明導電膜の上面にある複数のマイクロレンズとを具備する液晶表示装置において、
　前記複数のマイクロレンズの上面は凸状で前記複数のマイクロレンズの下面は平面状で、前記複数のマイクロレンズの各々の境界の凹部に前記複数のマイクロレンズに入射する光を遮る遮光層を具備することを特徴とする液晶表示装置。」
　
　ところで、当初明細書等の記載内容及び把握できる事項は、上記２．（２）（ａ）〜（ｅ）のとおりである。
　すなわち、上記２．（２）（ｅ）によれば、「該入射光側の
平面形状部における該マイクロレンズの凹部に対応した位置
　
　したがって、請求項１の「該入射光側の平面形状部における該マイクロレンズの凹部に対応した位置に設けた遮光層」は、当初明細書等に記載されておらず、また、それらの記載からみて自明な事項であるとも認められないから、平成１４年４月１１日付け手続補正は、当初明細書等に記載した事項の範囲内においてしたものとはいえない。
　
５．むすび
　以上のとおり、平成１４年４月１１日付け手続補正は、願書に最初に添付した明細書又は図面に記載した事項の範囲内においてしたものとはいえないので、「平成１４年４月１１日付けでした手続補正は、願書に最初に添付した明細書又は図面に記載した事項の範囲内においてしたものでないから、特許法第１７条の２第３項に規定する要件を満たしていない。」との拒絶の理由によりなされた拒絶査定は妥当なものである。
　よって、結論のとおり審決する。